(57)【特許請求の範囲】
【請求項１】
載置体に配列された物品に対して設けられ、該物品を受ける面を有する受け部を備えた物品用衝立において、
該受け部の端部には、第１係止部および該第１係止部とは独立して形成された第２係止部を備え、
該第１係止部は、該載置体に備えられた第１の被係止部に係止し、
該第２係止部は、該第１係止部の該第１の被係止部への係止に伴って該載置体に備えられた第２の被係止部に係止するように構成され、
該第１係止部の係止方向と該第２係止部の係止方向とが異なり、
前記第１係止部は、前記第１の被係止部に挟持する挟持部を備えていることを特徴とする物品用衝立。
【請求項２】
載置体に配列された物品に対して設けられ、該物品を受ける面を有する受け部を備えた物品用衝立において、
該受け部の端部には、第１係止部および該第１係止部とは独立して形成された第２係止部を備え、
該第１係止部は、該載置体に備えられた第１の被係止部に係止し、
該第２係止部は、該第１係止部の該第１の被係止部への係止に伴って該載置体に備えられた第２の被係止部に係止するように構成され、
該第１係止部の係止方向と該第２係止部の係止方向とが異なり、
前記第２係止部は、前記第２の被係止部を押圧することにより弾性変形して該第２の被係止部に係止することを特徴とする物品用衝立。
【請求項３】
上記載置体の第１の被係止部は、上下方向に立設された縦板部からなり、上記第２の被係止部は、該縦板部の上端よりも上方に位置しかつ縦板部に向かって略水平方向に延出された水平板部からなり、
上記第２係止部が該第１係止部の上方に配置され、
該第１係止部が該第１の被係止部への係止に伴って、該第２係止部が、該水平板部に当接し該水平板部から離間する方向に変形して該水平板部を乗り越えることにより該当接が解除され該水平板部の下面に係止するように構成されていることを特徴とする請求項１または２に記載の物品用衝立。
【請求項４】
上記載置体の第２の被係止部は、上下方向に立設された縦板部からなり、上記第１の被係止部は、該縦板部の上端よりも上方に位置しかつ縦板部に向かって略水平方向に延出された水平板部からなり、
上記第１係止部が該第２係止部の上方に配置され、
該第１係止部が該第１の被係止部への係止に伴って、該第２係止部が、該縦板部に当接し該縦板部から離間する方向に変形して該縦板部を乗り越えることにより該当接が解除され該縦板部に係止するように構成されていることを特徴とする請求項１または２に記載の物品用衝立。
【請求項５】
前記載置体に奥行き方向に沿って物品を立てて配列し、該配列された物品のうちの最前列に位置する物品の前方への倒れを防止するための前倒れ防止具であることを特徴とする請求項１から４のいずれか一項に記載の物品用衝立。
【請求項６】
請求項１〜５の何れか一項に記載の物品用衝立が装着されていることを特徴とする物品配列棚。
【発明の詳細な説明】
【技術分野】
【０００１】
本発明は、載置部に配列された物品に対して設けられる物品用衝立及び物品用衝立を備えた物品配列棚に関し、物品を商品としたコンビニエンスストア等に設置される商品陳列棚に適している。
【背景技術】
【０００２】
従来、載置部としての棚板に配列された商品のうちの手前側の商品を取り上げると、残った商品が手前側に移動し、取り上げた商品の空きスペースを詰めるようになっている商品陳列棚が知られている。この商品陳列棚の棚板の前端部に、最前列の商品が前方に倒れて床に落下することを防止するための前方倒れ防止板を備えたものが既に提案されている。この前方倒れ防止板は、それの下端が棚板の前端とこの前端の下端から前方に延びてから上方へ延出した前方倒れ防止板支持部との間に形成される溝に差し込むことで固定されるようになっている（例えば、特許文献１参照）。
【先行技術文献】
【特許文献】
【０００３】
【特許文献１】特開２００１−７８８６０号公報（図１参照）
【発明の概要】
【発明が解決しようとする課題】
【０００４】
上記特許文献１によれば、前方倒れ防止板が溝に単に差し込むだけの構成であるため、前方倒れ防止板を溝に強固に固定することができない。このため、例えば商品の取り上げ時や棚板への商品の補給時に商品や商品を持つ手が前方倒れ防止板に当たってしまい、前方倒れ防止板が溝から外れる、又は溝に対して位置ずれする等の不都合が発生することがあった。
【０００５】
本発明が前述の状況に鑑み、解決しようとするところは、外れる、又は位置ずれすることがないように強固に固定することができる物品用衝立及び物品用衝立を備えた物品配列棚を提供することを課題とする。
【課題を解決するための手段】
【０００６】
本発明の物品用衝立は、前述の課題解決のために、載置体に配列された物品に対して設けられ、該物品を受ける面を有する受け部を備えた物品用衝立において、該受け部の端部には、第１係止部および該第１係止部とは独立して形成された第２係止部を備え、該第１係止部は、該載置体に備えられた第１の被係止部に係止し、該第２係止部は、該第１係止部の該第１の被係止部への係止に伴って該載置体に備えられた第２の被係止部に係止するように構成され、該第１係止部の係止方向と該第２係止部の係止方向とが異なり、前記第１係止部は、前記第１の被係止部に挟持する挟持部を備えていることを特徴としている。
【０００７】
また、本発明の物品用衝立は、載置体に配列された物品に対して設けられ、該物品を受ける面を有する受け部を備えた物品用衝立において、該受け部の端部には、第１係止部および該第１係止部とは独立して形成された第２係止部を備え、該第１係止部は、該載置体に備えられた第１の被係止部に係止し、該第２係止部は、該第１係止部の該第１の被係止部への係止に伴って該載置体に備えられた第２の被係止部に係止するように構成され、該第１係止部の係止方向と該第２係止部の係止方向とが異なり、前記第２係止部は、前記第２の被係止部を押圧することにより弾性変形して該第２の被係止部に係止することを特徴としている。
【０００８】
かかる構成によれば、第１の被係止部に第１係止部が係止すると、それに伴って第２の被係止部に第２係止部が係止する。この係止状態では、第１係止部が第１の被係止部から係止解除側に移動することを、第２の被係止部と第２係止部との係止力により阻止することができる。これとは反対に、第２係止部が第２の被係止部から係止解除側に移動することを、第１の被係止部と第１係止部との係止力により阻止することができる。
【００１１】
また、本発明の物品用衝立は、上記載置体の第１の被係止部が、上下方向に立設された縦板部からなり、上記第２の被係止部は、該縦板部の上端よりも上方に位置しかつ縦板部に向かって略水平方向に延出された水平板部からなり、上記第２係止部が該第１係止部の上方に配置され、該第１係止部が該第１の被係止部への係止に伴って、該第２係止部が、該水平板部に当接し該水平板部から離間する方向に変形して該水平板部を乗り越えることにより該当接が解除され該水平板部の下面に係止するように構成されていてもよい。
【００１２】
また、本発明の物品用衝立は、上記載置体の第２の被係止部は、上下方向に立設された縦板部からなり、上記第１の被係止部は、該縦板部の上端よりも上方に位置しかつ縦板部に向かって略水平方向に延出された水平板部からなり、上記第１係止部が該第２係止部の上方に配置され、該第１係止部が該第１の被係止部への係止に伴って、該第２係止部が、該縦板部に当接し該縦板部から離間する方向に変形して該縦板部を乗り越えることにより該当接が解除され該縦板部に係止するように構成されていてもよい。
【００１３】
また、本発明の物品用衝立は、前記載置体に奥行き方向に沿って物品を立てて配列し、該配列された物品のうちの最前列に位置する物品の前方への倒れを防止するための前倒れ防止具であってもよい。
また、本発明の物品用衝立が装着されていることを特徴とする物品配列棚であってもよい。
【発明の効果】
【００１４】
第１の被係止部に係止する第１係止部とは異なる方向で係止するように第２の被係止部と第２係止部とを備えることによって、商品の取り上げ時や棚板への商品の補給時に商品や商品を持つ手が物品用衝立に当たって物品用衝立が外れる、又は位置ずれすることがないように強固に固定することができる。しかも、第２係止部が、第１係止部の第１の被係止部への係止に伴って載置体（棚の載置部）に備えられた第２の被係止部に係止するように構成されているから、１つの操作で２つの係止操作を実行することができ、操作面において有利になる。
【図面の簡単な説明】
【００１５】
【図１】棚板の手前側の端縁に物品前出し具を装着しその物品前出し具の本体に物品用衝立を取り付けた物品配列棚を形成した状態の側面図である。
【図２】物品用衝立を示し、（ａ）はそれの斜視図、（ｂ）はそれの正面図である。
【図３】物品前出し具の本体の内部構造を示す側面図である。
【図４】物品用衝立を物品前出し具に装着する手順を示す説明図であり、（ａ）は装着が開始される直前の状態を示し、（ｂ）は装着途中の状態を示し、（ｃ）は装着が完了した状態を示している。
【図５】棚板の手前側の端縁の上面に物品前出し具を磁石により固定した状態を示す側面図である。
【図６】別の実施形態の物品用衝立を物品前出し具に装着する手順を示す説明図であり、（ａ）は装着が開始される直前の状態を示し、（ｂ）は装着途中の状態を示し、（ｃ）は装着が完了した状態を示している。
【発明を実施するための形態】
【００１６】
以下、本発明に係る物品用衝立及び物品配列棚の一実施形態について、図面を参酌しつつ説明する。
【００１７】
図１は、載置体を構成する棚板１の手前側（図では左側）の端縁に物品前出し具２を装着しその物品前出し具２を構成する本体３に物品用衝立の一例である前倒れ防止具４を取り付けた物品配列棚を形成した状態の側面図を示している。物品前出し具２は、上下一対の突片１２Ａ，１２Ｂを備えたクランプ構造をなす装着部１２を介して棚板１の前端縁に着脱自在に装着されている。尚、図１では、物品前出し具２が棚板１に１個のみ設けた場合を示しているが、物品前出し具２を棚板１の手前側で横並びに複数配置されてなる物品配列棚（物品が商品の場合には商品収納棚と言う）であってもよい。
【００１８】
より詳しくは、棚板１上に、柔軟性を有する帯状シート５の末端部にＬ字状の係止体６が取り付けられた長尺引き出し体７が本体３から奥行方向Ｘに引き出され、この引き出された長尺引き出し体７の上に複数の物品Ｚが奥行方向に沿って一列に配列される。そして、本体３内に帯状シート５を巻き取るためのローラ（図３参照）８が配置されるとともに、図示していないコイルバネにより帯状シート５を常に巻き取るようにローラ８が一方向に回転付勢されている。従って、帯状シート５の巻き取り方向への移動により手前側（図では左側）に移動する係止体６が全ての物品Ｚを手前側に移動させる。そして、手前側の物品Ｚ１が本体３に帯状シート５を介して当接することにより、帯状シート５のそれ以上の巻き取りが規制され、その状態が維持される。また、手前側の物品Ｚ１を取り上げると、本体３と物品との間に空きスペースが発生するが、このスペースを詰めるべく長尺引き出し体７が取り上げた物品Ｚ１の寸法分だけ手前側に移動し、これに伴い、残った物品Ｚを手前側に移動させる。このように構成することによって、常に手前側の物品Ｚ１から取り上げることができる。尚、図１では、物品Ｚの配列数を４個にしているが、何個であってもよい。
【００１９】
本体３は、図１及び図３に示すように、幅方向に筒状となり、かつ、物品側である後側で上方側箇所に帯状シート５を繰り出すべく幅方向全域に渡って開口３Ｋが形成されたハウジング３Ａと、ハウジング３Ａの長手方向両端開口に嵌合して各開口を塞ぐカバー３Ｂとを備えている。前記開口３Ｋの上下端には、斜め上方に延出された延出片３ａ，３ｂを備えている。尚、前記本体３が棚の載置部に相当する。
【００２０】
また、ハウジング３Ａの物品側とは反対側である前側の上端には、前倒れ防止具４を係止固定するための第１の被係止部１０及び第２の被係止部１１とを備えている。第１の被係止部１０は、ハウジング３Ａの物品側とは反対側である前側板部３Ｄの上端から上方に延出された縦板部からなり、第２の被係止部１１は、縦板部１０の上端よりも上方に位置しかつハウジング３Ａの天板部３Ｅの前端から縦板部１０に向かって略水平方向に延出された水平板部からなっている。尚、ハウジング３Ａは、例えば幅方向に押し出し成形されたアルミ成型品であり、また、カバー３Ｂは、樹脂成型品であり、カバーに形成された複数の貫通孔（図示せず）に通されたビス９，９をハウジング３Ａに形成された雌ネジ部（図示せず）に螺入することによって、各カバー３Ｂをハウジング３Ａに固定することができるようにしている。
【００２１】
各カバー３Ｂには、帯状シート５を巻き取るローラ８を回転自在に支持するべく、ローラ８の両端から軸方向にそれぞれ突出している軸部８Ａが挿通される軸孔３Ｃが形成されている。
【００２２】
前倒れ防止具４は、透明な樹脂成型品であり、図１に示すように、最前列に位置する物品Ｚ１の前方への倒れを防止するために備えられ、上方側に向かうほど物品側に接近する傾斜姿勢になっている。詳述すれば、前倒れ防止具４は、図２（ａ），（ｂ）に示すように、長方形で板状に構成され、物品を受ける受け面４ａを有する受け部を構成する本体部４Ａを備え、その本体部４Ａの幅方向両端部の下側に両端部４Ｒ，４Ｒと中央部４Ｓとを分離するための切欠き４Ｋを備えている。そして、中央部４Ｓから下方側ほど物品側に位置するように斜め下方に延出され、前記縦板部１０に上方から係止可能となる第１係止部を構成する平行な一対の挟持部４Ｂ，４Ｃと、物品側に位置する一方の挟持部４Ｃの上端から物品側に延出されかつ挟持部４Ｃに対して垂直となる方向に延出され、前記水平板部１１の上面に突設する位置決め用の平板部４Ｄと、両端部４Ｒ，４Ｒの下端から延出されかつ前記水平板部１１の下面に係止可能な第２係止部を構成する側面視においてＣ字状に形成されたフック部４Ｅとを備えている。尚、フック部４Ｅは、一対の挟持部４Ｂ，４Ｃよりも上方に配置されている。
【００２３】
本体部４Ａには、物品Ｚを透視可能な複数の縦長状の透視孔４Ｇ，４Ｈを形成している。図２（ａ），（ｂ）では、幅方向両側に位置する透視孔４Ｇ，４Ｇの上下方向の寸法が他の透視孔４Ｈ…（図では５個）の上下寸法よりも短い寸法になっている。
【００２４】
前述のように、フック部４Ｅ，４Ｅが本体部４Ａの両端部４Ｒ，４Ｒの下端に備えさせていることから、縦板部１０への一対の挟持部４Ｂ，４Ｃの係止に伴ってフック部４Ｅ，４Ｅが水平板部１１に当接しフック部４Ｅ，４Ｅの案内作用により両端部４Ｒ，４Ｒが水平板部１１から離間する側に移動するように両端部４Ｒ，４Ｒが弾性変形することで、フック部４Ｅ，４Ｅが水平板部１１を乗り越えることによりフック部４Ｅ，４Ｅの水平板部１１との当接が解除され、フック部４Ｅ，４Ｅが水平板部１１の下面に係止するように構成されている。換言すれば、第２係止部であるフック部４Ｅ，４Ｅが、第２の被係止部である水平板部１１を押圧することにより弾性変形して水平板部１１に係止するようになっている。
【００２５】
次に、前倒れ防止具４を本体３に装着する手順を説明する。
図４（ａ）に示すように、前倒れ防止具４の一対の挟持部４Ｂ，４Ｃが縦板部１０に上方から係止するように、前倒れ防止具４を下方へ移動させる。図４（ａ）では、一対の挟持部４Ｂ，４Ｃが縦板部１０を挟持する直前でかつフック部４Ｅ，４Ｅが水平板部１１に当接している状態を示している。この状態から更に下方へ前倒れ防止具４を移動させることによって、図４（ｂ）に示すように、一対の挟持部４Ｂ，４Ｃが縦板部１０を挟持し始めると共にフック部４Ｅ，４Ｅ（図では一方のみ図示している）がそれの湾曲面４ｅ，４ｅによる案内作用により水平板部１１から離間する方向へ移動してフック部４Ｅ，４Ｅの遊端部４Ｙ，４Ｙが水平板部１１の前端面１１Ａに当接した状態になる。この当接状態で更に下方へ前倒れ防止具４を移動させることにより、図４（ｃ）に示すように、一対の挟持部４Ｂ，４Ｃが縦板部１０を挟持完了するとともにフック部４Ｅ，４Ｅの遊端部４Ｙ，４Ｙの水平板部１１の前端面１１Ａとの当接が解除されることにより弾性復元力により元の姿勢に復元することでフック部４Ｅ，４Ｅが水平板部１１の下面１１Ｂに係止する。このとき、水平板部１１の上面に位置決め用の平板部４Ｄの下面が当接した状態になり、フック部４Ｅ，４Ｅと平板部４Ｄとで前倒れ防止具４の上下方向への移動が阻止され、一対の挟持部４Ｂ，４Ｃで前倒れ防止具４の前後方向への移動が阻止され、前倒れ防止具４を本体３に強固に装着することができる。
【００２６】
前記前倒れ防止具４は、本体３に対して着脱自在な構成であり、前倒れ防止具４を本体３から取り外す場合には、第２係止部を構成するフック部４Ｅ，４Ｅの遊端部４Ｙ，４Ｙを、水平板部１１の前端面１１Ａに当接させる方向に弾性変形させながら、第１係止部の挟持部４Ｂ，４Ｃが縦板部１０から抜けるように上方へ前倒れ防止具４を移動させれば、簡単に取り外すことができる。
【００２７】
尚、本発明は、前記実施形態に限定されるものではなく、本発明の要旨を逸脱しない範囲で種々の変更が可能である。
【００２８】
前記実施形態では、物品用衝立として前倒れ防止具４を示したが、物品が横に倒れる横倒れ防止具や物品が後に倒れる後倒れ防止具の他、物品同士間を仕切るための仕切り板などであってもよい。
【００２９】
また、前記実施形態では、装着状態の前倒れ防止具４を、上方側に向かうほど物品側に接近する傾斜姿勢に設定したが、上下方向に沿うように水平面に対して垂直となる縦姿勢に設定してもよい。
【００３０】
また、前記実施形態では、前倒れ防止具４が、本体部４Ａの幅方向両端部の下側のそれぞれにフック部４Ｅを備えさせたが、フック部４Ｅの個数及び取付位置は自由に変更可能である。また、Ｃ字状のフック部４ＥをＵ字状あるいはＶ字状等、どのような形状に構成してもよい。また、ハウジング３Ａに備えた縦板部１０に上方から係止可能な一対の挟持部４Ｂ，４Ｃを前倒れ防止具４に備えさせたが、それとは反対にハウジング３Ａに一対の挟持部を備えさせ、これら一対の挟持部に挟持される縦板部を前倒れ防止具４に備えさせてもよい。また、前倒れ防止具４の平板部４Ｄを省略して実施してもよい。
【００３１】
また、前記実施形態では、物品前出し具２を上下一対の突片１２Ａ，１２Ｂからなる装着部１２を用いて棚板１に取り付けるようにしているが、棚板１が金属等の磁性体である場合には、図５に示すように、本体３の下面に取り付けられた磁石（磁石シート）１３で物品前出し具２を磁力により棚板１に固定することができる。この場合、係止体６が不使用の装着部１２に引っ掛からないよう、装着部１２にスロープ部材１４を取り付け、帯状シート５及び係止体６がスロープ部材１４の上面を駆け上がるようにするのが好ましい。尚、図５で説明しなかった部分は、図１と同一であるため、同一の符号を付している。
【００３２】
また、前記実施形態では、物品前出し具２を備えたものを示したが、物品前出し具２の無い棚板１に本発明の物品用衝立を備えたもので実施してもよい。この場合、棚板としては水平姿勢にしたものの他、例えば棚板を前方側ほど下方に位置する傾斜姿勢にして、手前側の物品を取り出すことにより残った物品が傾斜面により案内されて手前側に自ずと移動する構成にしてもよい。この傾斜姿勢の棚板にローラ等を組み込んで物品が前方に移動し易くなるようにしてもよい。
【００３３】
また、前記実施形態では、第２係止部であるフック部４Ｅ，４Ｅを第１係止部である挟持部４Ｂ，４Ｃの上方に配置した前倒れ防止具４を示したが、これとは反対に第１係止部を第２係止部の上方に配置した前倒れ防止具４１であってもよい。具体的には、図６（ａ），（ｂ），（ｃ）に示すように、第２の被係止部は、上下方向に立設された縦板部４２からなり、上記第１の被係止部は、該縦板部４２の上端よりも上方に位置しかつ縦板部４２に向かって略水平方向に延出された水平板部４３からなっている。そして、前倒れ防止具４１は、前述した前倒れ防止具４と同様に、長方形で板状に構成され、物品を受ける受け面４ａを有する受け部を構成する本体部４１Ａを備えるとともに、その本体部４１Ａの幅方向両端部の下側に両端部と中央部とを分離するための切欠き（図示せず）を備えている。そして、中央部から物品側に延びる水平姿勢でかつ互いに平行な板状の第１係止部を構成する上下一対の挟持部４１Ｂ，４１Ｃと、両端部の下端から下方に延びるとともに物品側に円弧状に突出するフック部４１Ｄ，４１Ｄ（図では片方のみ図示している）を備えている。
従って、上下一対の挟持部４１Ｂ，４１が水平板部４３を挟持するように前倒れ防止具４１を水平板部４３に向けて水平方向に移動させる。このとき、図６（ａ）に示すように、上下一対の挟持部４１Ｂ，４１Ｃが水平板部４３を挟持する直前でかつフック部４１Ｄ，４１Ｄが縦板部４２に当接する直前の状態である。この状態から更に前倒れ防止具４１を水平板部４３に向けて水平方向に移動させると、図６（ｂ）に示すように、上下一対の挟持部４１Ｂ，４１が水平板部４３を所定範囲挟持しかつフック部４１Ｄ，４１Ｄが縦板部４２との当接により弾性変形し縦板部４２から離間する上方へ移動して縦板部４２の上面にフック部４１Ｄ，４１Ｄの下端が当接した状態になる。この状態から更に前倒れ防止具４１を水平板部４３に向けて水平方向に移動させると、図６（ｃ）に示すように、上下一対の挟持部４１Ｂ，４１Ｃが水平板部４３を挟持完了しかつフック部４１Ｄ，４１Ｄが縦板部４２との当接が解除されて復元力により縦板部４２の裏面に係止するべく下方へ復帰する。
【符号の説明】
【００３４】
１…棚板（載置体）、２…物品前出し具、３…本体、３Ａ…ハウジング、３Ｂ…カバー、３Ｃ…軸孔、３Ｄ…前側板部、３Ｅ…天板部、３Ｋ…開口、３ａ，３ｂ…延出片、４，４１…前倒れ防止具（物品用衝立）、４Ａ…本体部、４ａ…受け面、４Ｂ，４Ｃ，４１Ｂ，４１Ｃ…挟持部（第１係止部）、４Ｄ…平板部、４Ｅ，４１Ｄ…フック部（第２係止部）、４Ｇ，４Ｈ…透視孔。４Ｒ…両端部、４Ｓ…中央部、４Ｙ…遊端部、４ｅ…湾曲面、５…帯状シート、６…係止体、７長尺引き出し体、８…ローラ、８Ａ…軸部、９…ビス、１０…第１の被係止部（縦板部）、１１…第２の被係止部（水平板部）、１１Ａ…前端面、１２…装着部、１２Ａ，１２Ｂ…突片、１４…スロープ部材、４２…第２の被係止部（縦板部）、４３…第１の被係止部（水平板部）、Ｘ…奥行方向、Ｚ１，Ｚ…物品
【図１】
0005486937.tif 000002
【図２】
0005486937.tif 000003
【図３】
0005486937.tif 000004
【図４】
0005486937.tif 000005
【図５】
0005486937.tif 000006
【図６】
0005486937.tif 000007